(57)【特許請求の範囲】
【請求項１】
内視鏡の挿入部を巻回して収納するドラム部を有する内視鏡収納部と、
光源装置または光源装置及び制御装置を一体化した光源部／制御部一体装置を収納する装置収納部と、
ＴＶモニタの画面を見易い位置に調節して固定保持するモニタ位置決め保持手段を有するモニタ収納部と、
を備え、
前記内視鏡収納部に開閉自在な蓋部を有することを特徴とする内視鏡装置用収納ケース。
【請求項２】
前記蓋部は、内側面に衝撃吸収部材を備えることを特徴とする請求項１に記載の内視鏡装置用収納ケース。
【請求項３】
前記挿入部を前記ドラム部に収納し、前記蓋部を閉じたとき、前記衝撃吸収部材により、前記ドラム部の回転を抑えることを特徴とする請求項２に記載の内視鏡装置用収納ケース。
【請求項４】
前記モニタ位置決め保持手段は、複数のアーム部および関節部で構成された多関節アームからなることを特徴とする請求項１に記載の内視鏡装置用収納ケース。
【請求項５】
前記モニタ位置決め保持手段は、スライドレールからなることを特徴とする請求項１に記載の内視鏡装置用収納ケース。
【請求項６】
前記モニタ位置決め保持手段は、湾曲自在な螺旋管からなることを特徴とする請求項１に記載の内視鏡装置用収納ケース。
【請求項７】
前記モニタ位置決め保持手段は、さらにモニタ画面を調節する自由雲台を具備することを特徴とする請求項４〜６の１つに記載の内視鏡装置用収納ケース。
【発明の詳細な説明】
【０００１】
【発明の属する技術分野】
本発明は、内視鏡と、この内視鏡と共に使用される光源装置、制御装置及びＴＶモニタなどの周辺装置とを一体で収納する内視鏡装置用収納ケースに関する。
【０００２】
【従来の技術】
近年、体腔内に細長な内視鏡挿入部を挿入することにより体腔内臓器を観察したり、必要に応じて処置具チャンネル内に挿通した処置具を用いて各種治療のできる内視鏡が医療分野で広く用いられている。
【０００３】
一方、工業用分野においても、ボイラ、タービン、エンジン、化学プラント等の配管内部の傷、腐食の観察や検査に工業用内視鏡が広く用いられている。
【０００４】
一般に内視鏡、特に工業用の内視鏡はトランク型の収納具に収納して、保管、運搬していた。また、内視鏡挿入部が長尺である内視鏡は、ドラム型の収納具に収納していた。
【０００５】
これまでは、内視鏡本体と周辺装置とを別々に収納する型のものがほとんどであり、内視鏡を収納するドラム型の収納具としては例えば、実開昭５８−１７２９０５号公報にドラム状部材に少なくとも内視鏡の内視鏡挿入部を巻回可能とする巻回部と、内視鏡の本体部を嵌め込む溝部とを形成することにより、内視鏡を嵩ばることなく保管あるいはケース内に収納したり、取り出すことを容易に行えるようにした内視鏡の格納装置が開示されている。また、特開平８−１５２５６３号公報には内視鏡が脱落することなく、内視鏡の収納作業を容易に行える内視鏡用収納具が開示されている。しかし、前記実開昭５８−１７２９０５号公報の内視鏡の格納装置及び特開平８−１５２５６３号公報の内視鏡用収納具では内視鏡と共にモニタなどの周辺装置を一体に収納することができなかった。
【０００６】
このため、ＵＳＰ５，３２３，８９９号公報には、内視鏡と周辺装置とを一体で収納するビデオプローブ用ケースが示されている
【０００７】
【発明が解決しようとする課題】
しかしながら、ＵＳＰ５，３２３，８９９号公報のビデオプローブ用ケースへの内視鏡収納方法では内視鏡挿入部が長尺である場合、この長尺の内視鏡挿入部を収納することが難しいという不具合があった。また、ビデオ内視鏡に不可欠なＴＶモニタを見易い位置に配置することができないという問題があった。
【０００８】
本発明は上記事情に鑑みてなされたものであり、内視鏡挿入部の長さに関わらず内視鏡の収納が容易で、且つ、必要な周辺装置を内視鏡と共に一体で収納でき、モニタを術者の見易い位置に固定保持する手段を有する内視鏡装置用収納ケースを提供することを目的としている。
【０００９】
【課題を解決するための手段】
本発明による内視鏡装置用収納ケースは、内視鏡の挿入部を巻回して収納するドラム部を有する内視鏡収納部と、光源装置または光源装置及び制御装置を一体化した光源部／制御部一体装置を収納する装置収納部と、ＴＶモニタの画面を見易い位置に調節して固定保持するモニタ位置決め保持手段を有するモニタ収納部とを備え、前記内視鏡収納部に開閉自在な蓋部を有することを特徴とし、前記蓋部は、内側面に衝撃吸収部材を備えることを特徴とし、前記挿入部を前記ドラム部に収納し、前記蓋部を閉じたとき、前記衝撃吸収部材により、前記ドラム部の回転を抑えることを特徴とする。
また、前記モニタ位置決め保持手段は、複数のアーム部および関節部で構成された多関節アーム、または、スライドレール、または湾曲自在な螺旋管からなることを特徴とし、さらに、前記モニタ位置決め保持手段は、モニタ画面を調節する自由雲台を具備することを特徴とする。
【００１０】
この構成によれば、内視鏡の長尺な挿入部をドラムに巻き取って内視鏡を内視鏡収納部に収納する一方、周辺装置を装置収納部及びモニタ収納部に収納して内視鏡と周辺装置とが一体に収納される。また、ＴＶモニタの画面を見易い位置に調節して固定することを容易に行える。
【００１１】
【発明の実施の形態】
以下、図面を参照して本発明の実施の形態を説明する。
【００１２】
図１ないし図５は本発明の第１実施形態に係り、図１は内視鏡装置の概略構成を示す説明図、図２は内視鏡装置用収納ケースの構成を示す斜視図、図３は内視鏡装置用収納ケースの構成を説明する一部断面図を含む正面図、図４はモニタ収納部からモニタを取り出した状態を示す説明図、図５は内視鏡装置用収納ケースの側面図である。
【００１３】
図１に示すように本実施形態の内視鏡装置１は、先端部に固体撮像素子を内蔵したいわゆるビデオ内視鏡（以下内視鏡と略記する）２と、この内視鏡２の周辺装置である内視鏡２に照明光を供給する光源部及び前記内視鏡２の固体撮像素子から出力される電気信号を標準的な映像信号に変換処理するカメラコントロールユニット（以下ＣＣＵと記す）などの制御部とを一体的に構成した光源部／制御部一体装置３と、この光源部／制御部一体装置３に設けたＣＣＵからの出力信号を基に内視鏡像を表示するモニタ４とで構成されている。
【００１４】
前記内視鏡２は操作者の把持部を兼ねる操作部５を有し、この操作部５の先端側に細長で可撓性を有する長尺な内視鏡挿入部６の後端部が連結されている。この内視鏡挿入部６は、前記操作部５に連結されている柔軟な可撓管７と、この可撓管７に連設する複数の湾曲駒を連接して例えば上下左右に湾曲自在に形成された湾曲部８と、この湾曲部８に連設して観察窓や照明窓などを備え、内部に固体撮像素子を配設した先端硬質部９とで構成されている。
【００１５】
前記操作部５には前記湾曲部８を所望の方向へ湾曲させる湾曲操作ノブ１０が設けられており、側部からはユニバーサルコード１１が延出している。このユニバーサルコード１１の端部には前記光源部／制御部一体装置３の光源部に着脱自在に接続される光源コネクタ１１ａが設けられており、この光源コネクタ１１ａからは制御部のＣＣＵに着脱自在に接続されるＣＣＵコネクタ１２ａを先端部に設けたＣＣＵケーブル１２が延出している。
【００１６】
図２に示すように前記内視鏡装置１を収納する内視鏡装置用収納ケース１５は、収納ケース本体１６と、この収納ケース本体１６に取り付けられた上蓋１７及びサイドカバー１８とで主に構成されている。
【００１７】
前記収納ケース本体１６の上部側には前記上蓋１７を開閉することによって前記内視鏡２の収納及び取り出しが自在な内視鏡収納部２０が設けられ、下部側には前記サイドカバー１８を開閉することによって前記光源部／制御部一体装置３の収納及び取り出しが自在な装置収納部３０及びモニタ４の収納及び取り出しが自在なモニタ収納部４０が設けられている。
【００１８】
図２ないし図４を参照して各収納部について説明する。
まず、図２及び図３を参照して内視鏡収納部２０について説明する。
内視鏡収納部２０は、内視鏡２の内視鏡挿入部６を巻回する回転ドラム２１と、この回転ドラム２１を回転自在に配置する回転ドラム受け部２２とで構成されている。
【００１９】
前記回転ドラム２１の上面には前記操作部５を収納する操作部収納部２１ａや前記光源コネクタ１１ａを収納する光源コネクタ収納部２１ｂ及びＣＣＵコネクタ１２ａを収納するＣＣＵコネクタ収納部２１ｃが設けてあり、内視鏡２の挿入部６は回転ドラム２１の外周面に巻回されるようになっている。なお、符号２１ｄは前記ユニバーサルコード１１やＣＣＵケーブル１２を収納するケーブル収納部である。
【００２０】
一方、回転ドラム２１の底部にはこの回転ドラム２１の外周面と回転ドラム受け部２２との間に前記挿入部６を巻回して収納するための内視鏡挿入部収納空間部２３を形成する鍔部２１ｅが設けられており、前記回転ドラム２１の底面とこの鍔部２１ｅの側面とが前記回転ドラム受け部２２との摺動面になって回転するようになっている。
【００２１】
前記回転ドラム受け部２２には破線で示した可撓管７，湾曲部８及び先端硬質部９で構成されている内視鏡挿入部６を内視鏡挿入部収納空間部２３に導いて回転ドラム２１の外周面に巻付くように案内する内視鏡挿入部収納案内溝２２ａ及び前記先端硬質部９を配置する先端部固定溝２２ｂが形成されている。
【００２２】
なお、前記内視鏡挿入部収納案内溝２２ａを通して内視鏡挿入部６を、回転ドラム２１の外周面に巻き付け、先端硬質部９を先端部固定溝２２ｂに配置した後、上蓋１７を閉じることによって、この上蓋１７の内側面に設けてある衝撃吸収部材１９が回転ドラム２１の上面を押圧して、回転ドラム２１の回転を抑えて固定するようになっている。
【００２３】
なお、上述の回転ドラム２１の回転を抑えて固定する方法としては、上蓋１７の内側面に回転抑え用ピンを設ける一方、回転ドラムに前記回転抑え用ピンに対向するピン受け穴を形成し、上蓋を閉めたとき、前記回転抑え用ピンがピン受け穴に入り込んで回転を抑えるようにしてもよい。
【００２４】
また、前記回転ドラム２１に内視鏡挿入部６が巻回されている状態で、この回転ドラム２１を持ち上げた場合、前記内視鏡挿入部６が鍔部２１ｅから順に積層されると共に、前記先端部固定溝２２ｂに先端硬質部９を配置させているので内視鏡挿入部６がほどけることなく一体で持ち上げられる。
【００２５】
次に、図２及び図３を参照して装置収納部３０について説明する。
装置収納部３０の四隅には装置保持部材３１が設けられており、この装置保持部材３１によって光源部／制御部一体装置３が着脱自在に安定的に固定保持されるようになっている。
【００２６】
尚、本実施形態においては装置収納部３０に光源装置と制御装置とを一体に形成した光源部／制御部一体装置３を収納するようになっているが、別体で構成されている光源装置と制御装置との両装置を装置収納部３０に収納するようにしたり、別体の光源装置または制御装置のうち一方を装置収納部３０に収納するようにしてもよい。
【００２７】
次いで、図２ないし図４を参照してモニタ収納部４０について説明する。
図２及び図３に示すようにモニタ収納部４０の上部には映像信号用コネクタ４１ａ，４１ｂ，４１ｃを設けたモニタ接続用コネクタ部４１が設けられており、ＴＶモニタ４から延びるＢＮＣケーブルやＳケーブルを対応する映像信号用コネクタ４１ａ，４１ｂ，４１ｃに接続することで、容易にＴＶモニタ４を収納ケース本体１６に接続することができるようになっている。
【００２８】
図３及び図４に示すようにＴＶモニタ４は薄型で小型の例えばＬＣＤモニタ４２であり、このＬＣＤモニタ４２には複数のアーム部材４３ａと関節部材４３ｂとで構成された多関節アーム４３の一端部が自由雲台４４を介して連結されている。また、前記多関節アーム４３の他端部はモニタ収納部４０内の側面板に回動自在に連結固定されている。
【００２９】
即ち、前記ＬＣＤモニタ４２は、モニタ位置決め保持手段である多関節アーム４３と自由雲台４４とで構成したモニタ位置決め保持部材と共にモニタ収納部４０に収納されるようになっている。
【００３０】
このため、図４に示すようにＬＣＤモニタ４２をモニタ収納部４０から引き出して、前記アーム部材４３ａと関節部材４３ｂとの位置関係を調節すると共に、自由雲台４４を介してモニタ画面４２ａの向きを調節することによって、前記ＬＣＤモニタ４２を所望の位置に、見易い角度で配置固定することができる。
【００３１】
なお、前記光源部／制御部一体装置３及びＴＶモニタ４をそれぞれ装置収納部３０及びモニタ収納部４０に収納した後、サイドカバー１８を閉じることによって、このサイドカバー１８の内側面に設けてある衝撃吸収部材１９が、光源部／制御部一体装置３及びＴＶモニタ４を振動や衝撃から保護している。
【００３２】
また、図５に示すように内視鏡装置用収納ケース１５の収納ケース本体１６にはキャスター１３と把持部１４とが設けてあるので、内視鏡装置用収納ケース１５内に内視鏡２や光源部／制御部一体装置３及びＴＶモニタ４が全て収納されている状態でも容易に移動することができるようになっている。
【００３３】
このように、内視鏡装置用収納ケースの収納ケース本体に、内視鏡挿入部を巻回する回転ドラムを備えた内視鏡を収納する内視鏡収納部と、光源部／制御部一体装置を収納する装置収納部及びモニタを収納するモニタ収納部を設けたことにより、内視鏡挿入部の長さの長短に関わらず、挿入部を回転ドラムの外周面に巻回した状態で、内視鏡と周辺装置とを一体にして内視鏡装置用収納ケースに収納することができる。
【００３４】
また、モニタ収納部に収納されるモニタに多関節アームと自由雲台とで構成したモニタ位置決め保持部材を設け、モニタとモニタ位置決め保持部材とをモニタ収納部に収納することにより、モニタ収納部からモニタを取り出したときにモニタ画面の位置を操作者の見易い位置に調節することができる。
【００３５】
さらに、内視鏡装置用収納ケースの収納ケース本体に、キャスター及び把持部を設けると共に、上蓋及びサイドカバーの内側面に衝撃吸収部材を設けたことにより、上蓋及びサイドカバーを閉じることにより、回転ドラムの回転が抑えられると共に、装置収納部及びモニタ収納部に収納される光源部／制御部一体装置及びモニタを安定的に保持して内視鏡装置用収納ケースの可搬性を大幅に向上させることができる。
【００３６】
また、回転ドラムの回転抑え機構を、衝撃吸収部材や回転抑え用ピンで構成することにより、構造が簡単で、安価であると共に、重量を軽くすることができる。
【００３７】
なお、前記ＬＣＤモニタ４２に連結されているアーム部材４３ａを図３に示したように略鉛直方向に折り畳んで収納する代わりに、図６に示すようにＴＶモニタ４をモニタ収納部４０に収納する際、アーム部材４３ａを水平方向に折り畳んで収納するように構成してもよい。
【００３８】
また、前記ＬＣＤモニタ４２のモニタ収納部４０への取り付け方法としては、多関節アームと自由雲台とで構成したモニタ位置決め保持部材に限定されるものではなく、図７及び図８に示すようにモニタ収納部４０にスライドレール６２を設け、このスライドレール６２にＬＣＤモニタ４２を配設するように構成したものや、図９に示すようにＬＣＤモニタ４２に形状を維持することが可能な湾曲自在な螺旋管６５を設け、この螺旋管６５を収納ケース本体１６に取り付けるように構成したものであってもよい。
【００３９】
即ち、図７に示すようにモニタ収納部４０の側面板に固定レール６１を配設し、この固定レール６１に摺動してモニタ収納部４０から突出するスライドレール６２を内挿させている。このスライドレール６２にはモニタ保持部材６３が取り付けられており、このモニタ保持部材６３の先端部に自由雲台４４を介してＬＣＤモニタ４２が取り付けられている。この構成により、図８に示すようにＬＣＤモニタ４２をモニタ収納部４０から引き出そうとすると、スライドレール６２がモニタ収納部４０から突出してモニタ保持部材６３に取り付けられているＬＣＤモニタ４２が前記モニタ収納部４０から突出する。ここで、自由雲台４４を調節することにより、ＬＣＤモニタ４２を見易い角度に固定できる。
【００４０】
また、図９に示した形状を維持することが可能な湾曲自在な螺旋管６５では、この螺旋管６５の一端部を自由雲台４４を介してＬＣＤモニタ４２に取り付け、他端部にクランプ部材６６が固定して構成されている。このため、モニタ収納部４０よりクランプ部材６６及び螺旋管６５とが取り付けられたＬＣＤモニタ４２を取り出した後、前記クランプ部材６６を内視鏡装置用収納ケース１５の任意の場所に取り付け、螺旋管５７を曲げたり、自由雲台４４を調節することにより、ＬＣＤモニタ４２を見易い角度に固定できる。
【００４１】
図１０及び図１１は本発明の参考例に係り、図１０は内視鏡装置用収納ケースの概略構成を示す説明図、図１１は内視鏡収納箱体の構成を示す説明図である。
【００４２】
図１０に示すように前記第１実施形態の内視鏡装置用収納ケース１５に上蓋１７と再度カバー１８とが設けられていたのに対して、本参考例の内視鏡装置用収納ケース７０は、上蓋７１だけを収納ケース本体７２に設けており、この上蓋７１を開くことによって、内視鏡２、光源部／制御部一体装置３及びＴＶモニタ４の取り出し及び収納を行うことができるようになっている。
【００４３】
図に示すように上蓋７１を開いた状態の内視鏡装置用収納ケース７０の収納ケース本体７２には内視鏡収納部７３と、周辺装置収納部７４とが設けられている。
【００４４】
前記内視鏡収納部７３には内視鏡２を収納した内視鏡収納箱体７５が収納されるようになっており、前記周辺装置収納部７４には光源部／制御部一体装置３及びＴＶモニタ４が収納されるようになっている。
【００４５】
図１１に示すように前記内視鏡収納箱体７５は、前記第１実施形態と同様の回転ドラム方式であり、内視鏡２の内視鏡挿入部６を巻回する回転ドラム２１と、この回転ドラム２１が回転自在に配置される回転ドラム受け部と外装部とを兼ねるドラム受け付外装部７６ａと、このドラム受け付外装部７６ａに被せられる蓋体７６ｂとで構成されている。その他の構成は前記第１実施形態と同様であり、同部材には同符号を付して説明を省略する。
【００４６】
本参考例の内視鏡装置用収納ケース７０では、内視鏡２を内視鏡収納部７３に収納する際、操作部５、光源コネクタ１１ａ、ＣＣＵコネクタ１２ａ、ユニバーサルコード１１及びＣＣＵケーブル１２を回転ドラム２１の収納部に収納すると共に、内視鏡２の挿入部６を回転ドラム２１に巻回して先端硬質部９を収納部に配置して蓋体７６ｂをドラム受け付外装部７６ａに被せて形成される内視鏡収納箱体７５を内視鏡収納部７３に収納するようになっている。
【００４７】
なお、内視鏡２を収納する内視鏡収納箱体７５と内視鏡装置用収納ケース７０とを別体で構成したことにより、前記内視鏡収納箱体７５を前記内視鏡装置用収納ケース７０の内視鏡収納部７３に収納する使い方の他に、前記内視鏡収納箱体７５を内視鏡２の収納ケースとして使用することが可能である。
【００４８】
このように、内視鏡を収納する内視鏡収納箱体を内視鏡装置用収納ケースと別体に設け、この内視鏡収納箱体を内視鏡装置用収納ケースの内視鏡収納部に収納するようにしたことにより、内視鏡装置用収納ケースから取り出した内視鏡収納箱体を所望の位置に移動して、内視鏡の取り出し及び収納を行うことができる。このことにより、内視鏡と、光源部／制御部一体装置やモニタの取り出し作業また収納作業を別々の場所で行える。
【００４９】
また、従来の内視鏡の収納具に、回転ドラムを有する内視鏡収納箱体を収納するスペースまたは回転ドラムを配設するための回転ドラム受け部を設けることによって、挿入部長の長い内視鏡を有する内視鏡装置の収納性を格段に向上させることができると共に、内視鏡及び周辺装置を一度に運搬することができる。
【００５０】
さらに、内視鏡を内視鏡収納箱体に収納してこの内視鏡収納箱体を運搬することにより、作業に不要な周辺装置を送ることなく、必要な周辺装置と内視鏡とを収納した内視鏡装置用収納ケースと前記周辺装置に組合せて使用することが可能な複数の内視鏡を内視鏡収納箱体に収納して運搬することができる。
【００５１】
なお、前記内視鏡を収納する内視鏡箱体の代わりに、前記内視鏡装置用収納ケース７０の内視鏡収納部７３に挿抜自在な図１２及び図１３に示すような内視鏡保持プレート８０であってもよい。
【００５２】
前記内視鏡保持プレート８０は、一面側に内視鏡挿入部６を巻回するドラム部８１を設け、他面側に内視鏡２の操作部５を保持する操作部ホルダ８２及び光源コネクタ１１ａとＣＣＵコネクタ１２ａを保持するコネクタホルダ８３ａ，８３ｂとを設けたものであり、図に示すようにこの内視鏡保持プレート８０に内視鏡２を配設した状態で、この内視鏡保持プレート８０を内視鏡装置用収納ケース７０の内視鏡収納部７３に収納するものである。
【００５３】
図１４は前記参考例の内視鏡装置用収納ケース７０の変形例に係る内視鏡収納箱体を摺動するように構成した内視鏡装置用収納ケースを示す説明図である。なお、図に示すように本変形例においては、装置収納部に対して横並びに内視鏡収納部を設けている。
【００５４】
図に示すように本変形例の内視鏡装置用収納ケース７０ａは、内視鏡収納箱体７５から内視鏡２を取り出す際の作業性を向上させるものであり、内視鏡収納部７３ａから内視鏡収納箱体７５を取り出す際、この内視鏡収納箱体７５を内視鏡収納部７３ａの側面板に設けたレール８５に沿って一度スライドさせた後、９０°回転させて、ケース上面部に配置できるようにしたものである。このことにより、ケース上面部に内視鏡収納箱体７５を置いた状態で内視鏡の収納及び取り出しを行うことができるので、作業性が向上する。
【００５５】
なお、前記図１２及び図１３で示した内視鏡保持プレート８０を上述したようにスライドさせてケース上面部に配置して使用する場合には、前記内視鏡保持プレート８０の一面側だけに回転ドラム部８１及び操作部ホルダ８１と、コネクタホルダ８２ａ，８２ｂとを設け、他面側に何も設けないという構成にすればよい。
【００５６】
また、図１５に示すように何も設けていない内視鏡保持プレート８０の他面側にＴＶモニタ４を設置するためのモニタ設置部８６を設けることによって、モニタ設置のスペースを内視鏡装置用収納ケース７０ａに確保することができる。
【００５７】
特に、内視鏡についてはビデオ内視鏡２に限定されるものではなく、いわゆるファイバースコープに、その内視鏡像を撮像するためのＴＶカメラを着脱自在に接続したものでもよい。この際、ＴＶカメラ及びそのＣＣＵを収納可能としてもよい。
【００５８】
なお、本発明は、以上述べた実施形態のみに限定されるものではなく、発明の要旨を逸脱しない範囲で種々変形実施可能である。
【００５９】
［付記］
以上詳述したような本発明の上記実施形態によれば、以下の如き構成を得ることができる。
【００６０】
（１） 内視鏡の挿入部を巻回して収納するドラム部を有する内視鏡収納部と、光源装置または光源装置及び制御装置を一体化した光源部／制御部一体装置を収納する装置収納部と、
ＴＶモニタの画面を見易い位置に調節して固定保持するモニタ位置決め保持手段を有するモニタ収納部とを具備する内視鏡装置用収納ケース。
【００６１】
（２）前記内視鏡収納部に着脱自在な内視鏡収納箱体を設けた付記１記載の内視鏡装置用ケース。
【００６２】
（３）キャスターと把持部とを設けた付記１または付記２記載の内視鏡装置用ケース。
【００６３】
（４）前記内視鏡収納箱体が内視鏡を収納する単独のケースである付記２記載の内視鏡装置用収納ケース。
【００６４】
【発明の効果】
以上説明したように本発明によれば、内視鏡挿入部の長さに関わらず内視鏡の収納が容易で、且つ、必要な周辺装置を内視鏡と共に一体で収納でき、モニタを術者の見易い位置に固定保持する手段を有する内視鏡装置用収納ケースを提供することができる。
【図面の簡単な説明】
【図１】図１ないし図５は本発明の第１実施形態に係り、図１は
内視鏡装置の概略構成を示す説明図
【図２】内視鏡装置用収納ケースの構成を示す斜視図
【図３】内視鏡装置用収納ケースの構成を説明する一部断面図を含む正面図
【図４】モニタ収納部からモニタを取り出した状態を示す説明図
【図５】内視鏡装置用収納ケースの側面図
【図６】ＴＶモニタとモニタ位置決め保持部材とを共にモニタ収納部へ収納する別の方法を示す説明図
【図７】モニタ収納部に設けたモニタ位置決め保持部材の別の構成を示す図
【図８】図７のモニタ位置決め保持部材を設けたモニタ収納部からモニタを取り出した状態を示す説明図
【図９】モニタ収納部に設けたモニタ位置決め保持部材のまた別の構成を示す図
【図１０】  図１０及び図１１は本発明の参考例に係り、図１０は内視鏡装置用収納ケースの概略構成を示す説明図
【図１１】内視鏡収納箱体の構成を示す説明図
【図１２】内視鏡装置用収納ケースの内視鏡収納部に挿抜自在な内視鏡保持プレートの構成を説明する斜視図
【図１３】図１２の内視鏡保持プレートの側面図
【図１４】  前記参考例の内視鏡装置用収納ケースの変形例に係る内視鏡収納箱体を摺動するように構成した内視鏡装置用収納ケースを示す説明図
【図１５】内視鏡保持プレートを摺動するように構成にした内視鏡装置用収納ケースを示す説明図
【符号の説明】
３…光源部／制御部一体装置
４…ＴＶモニタ
６…挿入部
１５…内視鏡装置用収納ケース
２０…内視鏡収納部
３０…装置収納部
４０…モニタ収納部
【図１】
0003730720.tif 000002
【図２】
0003730720.tif 000003
【図３】
0003730720.tif 000004
【図４】
0003730720.tif 000005
【図５】
0003730720.tif 000006
【図６】
0003730720.tif 000007
【図７】
0003730720.tif 000008
【図８】
0003730720.tif 000009
【図９】
0003730720.tif 000010
【図１０】
0003730720.tif 000011
【図１１】
0003730720.tif 000012
【図１２】
0003730720.tif 000013
【図１３】
0003730720.tif 000014
【図１４】
0003730720.tif 000015
【図１５】
0003730720.tif 000016